(57)【要約】【課題】打球駆動部のメンテナンス作業等の作業性を向上し得る発射制御装置の取付構造を提供する。【解決手段】中枠１２の裏側に、遊技盤の盤面に向けて遊技球を打ち出す打球駆動部２２を配設すると共に、ヒンジ機構３６を介して打球駆動部２２の制御を行なう発射制御装置４１を枢支する。発射制御装置４１を回動することにより、発射制御装置４１のフック部材４７と中枠１２の裏側に配設した機構セット盤１９の下端縁部とが係合して発射制御装置４１が中枠１２に閉成状態で固定される。中枠１２に設けた第１支持片２８ｂに形成した上方に向けて延在する軸部２８ｃと、発射制御装置４１の側部に設けた第２支持片４５に形成し、上下に貫通して軸部２８ｃを挿入可能な孔部４５ａとからヒンジ機構３６を構成する。そして、孔部４５ａに軸部２８ｃを挿入枢支させることで、発射制御装置４１の閉成時に、打球駆動部２２の後方を被覆するようにした。【選択図】図１
2005137588.tif 000002
【特許請求の範囲】
【請求項１】
遊技盤を保持する中枠と、前記中枠の裏側に配設され、前記遊技盤の盤面に向けて遊技球を打ち出す打球駆動部と、前記打球駆動部の制御を行なう発射制御装置と、前記発射制御装置を枢支するヒンジ機構と、前記発射制御装置に形成される第１係合部と、前記中枠側に形成されて前記第１係合部に係脱自在に係合する第２係合部とを備え、前記ヒンジ機構を介して前記発射制御装置を前記中枠に向けて回動させて閉成することで、前記第１係合部と第２係合部とが係合して該発射制御装置を中枠に対し固定し、前記両係合部の係合を解除することで、前記ヒンジ機構を介して発射制御装置を中枠に対し開放し得るよう構成した遊技機において、
前記ヒンジ機構は、
前記中枠に設けた第１支持片に形成されて上方に向け延在する軸部と、
前記発射制御装置の側部に設けた第２支持片に形成されて上下に貫通し、前記軸部を挿入可能な孔部とからなり、
前記孔部に前記軸部を挿入枢支させることで、前記発射制御装置は、前記中枠への閉成時に、前記打球駆動部の後方を併せて被覆し得るよう構成した
ことを特徴とする遊技機における発射制御装置の取付構造。
【請求項２】
遊技盤を保持する中枠と、前記中枠の裏側に配設され、前記遊技盤の盤面に向けて遊技球を打ち出す打球駆動部と、前記打球駆動部の制御を行なう発射制御装置と、前記発射制御装置を枢支するヒンジ機構と、前記発射制御装置に形成される第１係合部と、前記中枠側に形成されて前記第１係合部に係脱自在に係合する第２係合部とを備え、前記ヒンジ機構を介して前記発射制御装置を前記中枠に向けて回動させて閉成することで、前記第１係合部と第２係合部とが係合して該発射制御装置を中枠に対し固定し、前記両係合部の係合を解除することで、前記ヒンジ機構を介して発射制御装置を中枠に対し開放し得るよう構成した遊技機において、
前記ヒンジ機構は、
前記発射制御装置の側部に設けた第２支持片に形成されて下方に向け延在する軸部と、
前記中枠に設けた第１支持片に形成されて上下に貫通し、前記軸部を挿入可能な孔部とからなり、
前記軸部を前記孔部に挿入枢支させることで、前記発射制御装置は、前記中枠への閉成時に、前記打球駆動部の後方を併せて被覆し得るよう構成した
ことを特徴とする遊技機における発射制御装置の取付構造。
【請求項３】
前記第１係合部を、前記発射制御装置の上面に形成すると共に、該第１係合部および第２係合部の何れか一方を、弾性変形可能なフック部材で形成し、前記発射制御装置を前記ヒンジ機構を介して中枠に向けて回動させて閉成したときに、両係合部が係合して該発射制御装置を下方に向けて付勢し、前記孔部から軸部が抜けるのを規制するようにした請求項１または２記載の遊技機における発射制御装置の取付構造。
【請求項４】
前記第１係合部は前記フック部材であって、前記第２係合部は前記中枠の裏側に配設される機構セット盤である請求項３記載の遊技機における発射制御装置の取付構造。
【請求項５】
前記発射制御装置には、前記ヒンジ機構を形成した側部とは反対の側部に突出片が形成され、前記中枠には、閉成した発射制御装置における前記突出片と対応する位置に、少なくとも該突出片の上端に当接する規制部が形成されている請求項１〜４の何れかに記載の遊技機における発射制御装置の取付構造。
【発明の詳細な説明】
【技術分野】
【０００１】
本発明は、遊技機における発射制御装置の取付構造に関し、更に詳細には、外枠に対して開閉可能に組み付けられた中枠の裏側に、ヒンジ機構と係合部とを介して着脱および開閉可能に配設された発射制御装置の取付構造に関するものである。
【背景技術】
【０００２】
代表的な遊技機であるパチンコ機は、パチンコ機の前面側に配置した打球発射装置の遊技者による操作に応じてパチンコ球を遊技盤の盤面に打ち出し、所要の条件の成立(例えば、始動入賞具へのパチンコ球の入賞等)に基づいて図柄表示装置での図柄変動やスピーカからの音の発生あるいは照明装置の発光等により、各種の遊技演出を行なうよう構成される。ところで、近年はパチンコ機で行なう遊技演出の複雑化や多様化が進んでおり、それに伴ってパチンコ機の裏側に配設される制御装置も増加している。しかし、パチンコ機自体の大きさには限りがあることから、各制御装置同士や、制御装置とその制御対象部品とを接続する配線をできるだけ短くしてスペースを有効に利用し得るよう様々な工夫がなされている。また、各制御装置同士や制御装置とその制御対象部品とを、単に近接して配置するだけでなく、制御装置の故障時等においては、制御装置を容易に交換し得るようにも構成されている。
【０００３】
例えば、パチンコ機の中枠に支持盤をネジ止めし、該支持盤に打球発射装置を構成する打球駆動部(ロータリーソレノイドや打球杆等)を配設すると共に、該打球駆動部の後方位置に保持台を固定し、該保持台に打球発射装置を制御する発射制御装置を配設するよう構成したものがある(特許文献１参照)。すなわち、発射制御装置を制御対象である打球発射装置に近接して配置することで、両部材を接続する配線を短くして、該発射制御装置が必要最小限のスペースだけ占有するよう構成されている。
【０００４】
また、前記特許文献１に記載された発射制御装置には、その下端部に左右方向に貫通する通孔が穿設された軸支部が形成されると共に、前記保持台には、その下縁部に右方向に向けて突出する軸部が形成され、該軸支部に軸部を挿通することで発射制御装置が保持台に対して回動自在に枢支される。更に、前記保持台における前記軸部から上方に離間した位置には係止爪が形成されて、前記発射制御装置に形成した係止軸部と係脱自在に係合し得るよう構成されている。このように、前記発射制御装置は、前記軸支部に軸部を挿通したもとで、前記係止軸部と係止爪を係合することで前記保持台(中枠)に位置決めされ、該係止軸部と係止爪との係合を解除したもとで、軸部から軸支部を引き抜くことで保持台(中枠)から取り外し得るようになっている。
【特許文献１】特開平７−２７５４４５号公報
【発明の開示】
【発明が解決しようとする課題】
【０００５】
ここで、前述した特許文献１に記載された発射制御装置の取付構造では、前記打球駆動部の後方を前記保持台で覆うよう構成されている。このため、前記打球駆動部に不具合が生じて交換やメンテナンス作業を行なう際には、前記発射制御装置を前記保持台から取り外した後に、更に保持台を中枠から取り外す必要があり、作業が煩雑となる問題を内在している。また、前記保持台は、前記中枠に対してネジ止めされるため、打球駆動部の交換等の作業に際しては別途ドライバ等の工具が必要となり、作業性が劣る難点もあった。
そこで、本発明は、打球駆動部のメンテナンス作業等の作業性を向上し得る発射制御装置の取付構造を提供することを目的とする。
【課題を解決するための手段】
【０００６】
前記課題を克服し、所期の目的を達成するため、本発明に係る遊技機における発射制御装置の取付構造は、
遊技盤を保持する中枠(12)と、前記中枠(12)の裏側に配設され、前記遊技盤の盤面に向けて遊技球を打ち出す打球駆動部(22)と、前記打球駆動部(22)の制御を行なう発射制御装置(41)と、前記発射制御装置(41)を枢支するヒンジ機構(36)と、前記発射制御装置(41)に形成される第１係合部(47)と、前記中枠(12)側に形成されて前記第１係合部(47)に係脱自在に係合する第２係合部(19)とを備え、前記ヒンジ機構(36)を介して前記発射制御装置(41)を前記中枠(12)に向けて回動させて閉成することで、前記第１係合部(47)と第２係合部(19)とが係合して該発射制御装置(41)を中枠(12)に対し固定し、前記両係合部(47,19)の係合を解除することで、前記ヒンジ機構(36)を介して発射制御装置(41)を中枠(12)に対し開放し得るよう構成した遊技機において、
前記ヒンジ機構(36)は、
前記中枠(12)に設けた第１支持片(28b)に形成されて上方に向け延在する軸部(28c)と、
前記発射制御装置(41)の側部に設けた第２支持片(45)に形成されて上下に貫通し、前記軸部(28c)を挿入可能な孔部(45a)とからなり、
前記孔部(45a)に前記軸部(28c)を挿入枢支させることで、前記発射制御装置(41)は、前記中枠(12)への閉成時に、前記打球駆動部(22)の後方を併せて被覆し得るよう構成したことを特徴とする。
【０００７】
更に、前記課題を克服し、所期の目的を達成するため、本願の別の発明に係る遊技機における発射制御装置の取付構造は、
遊技盤を保持する中枠(12)と、前記中枠(12)の裏側に配設され、前記遊技盤の盤面に向けて遊技球を打ち出す打球駆動部(22)と、前記打球駆動部(22)の制御を行なう発射制御装置(41)と、前記発射制御装置(41)を枢支するヒンジ機構(36)と、前記発射制御装置(41)に形成される第１係合部(47)と、前記中枠(12)側に形成されて前記第１係合部(47)に係脱自在に係合する第２係合部(19)とを備え、前記ヒンジ機構(36)を介して前記発射制御装置(41)を前記中枠(12)に向けて回動させて閉成することで、前記第１係合部(47)と第２係合部(19)とが係合して該発射制御装置(41)を中枠(12)に対し固定し、前記両係合部(47,19)の係合を解除することで、前記ヒンジ機構(36)を介して発射制御装置(41)を中枠(12)に対し開放し得るよう構成した遊技機において、
前記ヒンジ機構(36)は、
前記発射制御装置(41)の側部に設けた第２支持片(45)に形成されて下方に向け延在する軸部(28c)と、
前記中枠(12)に設けた第１支持片(28b)に形成されて上下に貫通し、前記軸部(28c)を挿入可能な孔部(45a)とからなり、
前記軸部(28c)を前記孔部(45a)に挿入枢支させることで、前記発射制御装置(41)は、前記中枠(12)への閉成時に、前記打球駆動部(22)の後方を併せて被覆し得るよう構成したことを特徴とする。
【０００８】
そして、前記第１係合部(47)を、前記発射制御装置(41)の上面に形成すると共に、該第１係合部(47)および第２係合部(19)の何れか一方を、弾性変形可能なフック部材(47)で形成し、前記発射制御装置(41)を前記ヒンジ機構(36)を介して中枠(12)に向けて回動させて閉成したときに、両係合部(47,19)が係合して該発射制御装置(41)を下方に向けて付勢し、前記孔部(45a)から軸部(28c)が抜けるのを規制するようにしてもよい。
【０００９】
また、前記第１係合部(47)は前記フック部材(47)であって、前記第２係合部(19)は前記中枠(12)の裏側に配設される機構セット盤(19)である。
【００１０】
更に、前記発射制御装置(41)に、前記ヒンジ機構(36)を形成した側部とは反対の側部に突出片(46a)を形成し、前記中枠(12)における閉成した発射制御装置(41)の前記突出片(46a)と対応する位置に、少なくとも該突出片の上端に当接する規制部(30)を形成した。
【発明の効果】
【００１１】
本発明の請求項１および２に係る遊技機における発射制御装置の取付構造によれば、中枠に対して発射制御装置を枢支するヒンジ機構を中枠に直接設けるようにしたから、第１係合部と第２係合部との係合を解除するだけで、該ヒンジ機構を介して発射制御装置を開放して、該発射制御装置に覆われた打球駆動部の交換作業等を簡単に行なうことができるから、メンテナンス作業等の作業性を向上し得る。また、請求項３に係る遊技機における発射制御装置の取付構造によれば、中枠に対して閉成した発射制御装置をフック部材により下方に向けて付勢することで、該発射制御装置が上方に移動してヒンジ機構を構成する孔部から軸部が抜けるのは規制されるから、当該発射制御装置が中枠から脱落して損傷するのを防止し得る。
【００１２】
そして、請求項４に係る遊技機における発射制御装置の取付構造によれば、中枠の裏側に配設される機構セット盤に、発射制御装置に設けたフック部材を係合させるよう構成したから、新たにフック部材と係合する部材を設ける必要がなく、コストの低減を図り得る。また、請求項５に係る遊技機における発射制御装置の取付構造によれば、前記発射制御装置を中枠に対して閉成した際に、発射制御装置に形成した突出片の上端に中枠に設けた規制部が当接するようにしたから、当該発射制御装置が上方に移動して前記孔部から軸部が抜けるのをより確実に防止できる。なお、前記発射制御装置に振動が加わった際に、前記突出片が規制部に当接して支持するから、前記ヒンジ機構やフック部材に過度の負荷が掛かるのを抑制し得る。
【発明を実施するための最良の形態】
【００１３】
次に、本発明に係る遊技機における発射制御装置の取付構造につき、好適な実施例を挙げて、添付図面を参照しながら、以下詳細に説明する。なお本実施例では、遊技機として、パチンコ球を遊技媒体として使用する一般的なパチンコ機を例にして説明する。
【実施例】
【００１４】
前記パチンコ機１０は、図２に示すように、縦長矩形状に形成されて外郭をなす外枠１１の開口前面側に、各種の遊技部品を搭載した中枠１２が、正面左側に設けた連結支持手段１７を介して着脱および開閉可能に組み付け支持され、正面右側に設けた施錠手段１８を介して常には閉鎖状態に保持される。この中枠１２の前面側には、該中枠１２に保持した遊技盤(図示せず)を透視保護するガラス板１４を備える前枠１３と、多数のパチンコ球(遊技球)を貯留し得る上球皿１５とが、横開き形態で開閉可能に組み付けられている。また、中枠１２の下部には、上球皿１５に貯留しきれないパチンコ球を貯留する下球皿１６、および上球皿１５に貯留したパチンコ球を遊技盤の盤面に向けて打ち出す打球発射装置２０等が装着され、更に中枠１２の裏側には、各種の球経路および球処理部(何れも図示せず)等を備えた機構セット盤１９(図１、図５または図７参照)がセットされて、これにより一台のパチンコ機１０が形成される。
【００１５】
前記中枠１２は、全体が合成樹脂成形されたタイプにおいて、中枠１２の本体をなす枠体２６と、この枠体２６の上部位置に前後に開口された遊技盤保持部２７とが形成されている(図３または図４参照)。そして、前記枠体２６において、前記遊技盤保持部２７の下部には、前記上球皿１５を組み付ける遊技補助盤２９が形成されると共に、該遊技補助盤２９の下部には、前記下球皿１６および打球発射装置２０を設置する設置盤２８が一体成形されており、この遊技補助盤２９の上端縁を基準にして前記遊技盤保持部２７に前記遊技盤が着脱自在に保持される。また、前記遊技補助盤２９の前面には、断面略Ｍ字形に形成された円弧状の発射レール３３が所要の傾斜角度で配設されて、前記上球皿１５の裏面に取り付けた球送り装置(図示せず)により、上球皿１５に貯留したパチンコ球を発射レール３３の傾斜下端部(打球発射位置)に送り出すよう構成されている。なお、前記発射レール３３の打球発射位置には、パチンコ球の下方への転動を規制する規制片(図示せず)が形成されており、パチンコ球が発射レール３３から落下しないようになっている。なお、以下の説明において左・右とは、図４に示すようにパチンコ機１０を背面側から見た状態において指称するものとする。
【００１６】
また、前記遊技補助盤２９および設置盤２８の裏側には、前記遊技盤の盤面に設けた入賞口やアウト口(何れも図示せず)に通入したパチンコ球を回収する回収樋２５(図４参照)が取り付けられている。更に、前記設置盤２８の側部には、前後に開口する収容部２８ａが開設されると共に、該収容部２８ａの右側に、上下に所要距離離間する位置に、後方に向けて第１支持片２８ｂ,２８ｂが形成されており、該第１支持片２８ｂ,２８ｂの夫々に、軸部２８ｃ,２８ｃを上方に向けて突設してある。また、前記設置盤２８の裏側における前記収容部２８ａの左側には、上下に所要間隔離間して後方に向けて突出する一対の規制部３０,３０が形成されている。
【００１７】
図２または図３に示すように、前記設置盤２８(中枠１２)に装備される打球発射装置２０は、前記下球皿１６に配設されて、球円筒形グリップ状にユニット化された操作ハンドル部２１と、設置盤２８の裏側に配設されて、該操作ハンドル部２１の操作に基づいて打球動作を行なう打球駆動部２２とから構成され、該打球駆動部２２の裏側に配置された発射制御装置４１により駆動制御される。前記操作ハンドル部２１は、固定基体をなす略半球形の把持体２１ａに、リング形の操作レバー２１ｂを組み付けてユニット化され、前記下球皿１６に対しビスを介して着脱可能に固定されて下球皿１６と一体化されている。そして、前記操作ハンドル部２１には、電気的な操作入力用手段として、把持体２１ａの内部にロータリーソレノイド２３に対する可変抵抗器およびスイッチ(何れも図示せず)が組み込まれると共に、把持体２１ａの外周に金属製のタッチ感知環(図示せず)が取着されており、該把持体２１ａの内部を挿通した配線が、前記発射制御装置４１に電気的に接続される。
【００１８】
図３または図５に示すように、前記打球駆動部２２は、回転軸２３ａを後方に向けて突出させた状態で前記設置盤２８の収容部２８ａに収容される駆動源としてのロータリーソレノイド２３と、該ロータリーソレノイド２３の回転軸２３ａに連結固定される往復回動式の打球杆２４とから構成されて、該ロータリーソレノイド２３の駆動に伴い、該打球杆２４の先端部に設けた打球部２４ａが前記発射レール３３の打球発射位置に臨む位置に揺動される。すなわち、前記ロータリーソレノイド２３への通電励磁毎に、前記打球杆２４の打球部２４ａが発射レール３３における打球発射位置に到来して該打球発射位置に送り出されたパチンコ球を打ち出し得るようになっている。なお、前記ロータリーソレノイド２３は、前記設置盤２８の裏側にビスを介して着脱自在に固定された金属成形製の保持板３４に着脱自在に固定され、打球駆動部２２の全体を一体に取り扱い得るようにしてある。
【００１９】
前記発射制御装置４１は、前記ロータリーソレノイド２３およびその他打球発射装置２０の各電気部品、並びに前記球送り装置の総括的な入出力制御をなすもので、所要の回路を備えた回路基板(図示せず)を合成樹脂成形製のケース体４２に収容して形成される。そして、前記発射制御装置４１(ケース体４２)は、ヒンジ機構３６を介して前記設置盤２８(中枠１２)の裏側に着脱および開閉自在に枢支されている。なお、発射制御装置４１(ケース体４２)に関しては、図５に示すように発射制御装置４１を設置盤２８に取り付けた状態に基づいて説明する。
【００２０】
前記ケース体４２における前記設置盤２８と対向する対向面４２ｃの右側部には、上下方向に離間する位置に、前方(設置盤２８側)に向けて延出する第２支持片４５,４５が形成され、該第２支持片４５,４５の夫々に、上下に貫通して前記第１支持片２８ｂ,２８ｂの軸部２８ｃ,２８ｃを挿入可能な孔部４５ａ,４５ａを穿設してある(図１、図６または図７参照)。すなわち、前記軸部２８ｃ,２８ｃの上方に、前記孔部４５ａ,４５ａを整列したもとで、前記ケース体４２(発射制御装置４１)を下方に移動させることにより、孔部４５ａ,４５ａに軸部２８ｃ,２８ｃが挿通され、前記ケース体４２(発射制御装置４１)が前記設置盤２８(中枠１２)に対して開閉自在に枢支される。ここで、前記ケース体４２の第２支持片４５,４５が、前記設置盤２８の第１支持片２８ｂ,２８ｂに当接して前記発射制御装置４１の下方移動は規制され、発射制御装置４１は所定位置で保持される。すなわち、前記設置盤２８に形成した前記軸部２８ｃ,２８ｃおよび前記ケース体４２に形成した孔部４５ａ,４５ａから、前記発射制御装置４１を開閉自在に枢支する前記ヒンジ機構３６が構成される。
【００２１】
また、前記ケース体４２の右側面４２ａには、図１に示すように、前後方向の略中央位置から後方に向かうにつれて左方向に傾斜する傾斜面４３が形成されている。ここで、前記傾斜面４３は、該傾斜面４３を前記回収樋２５の左側面２５ａ(図４参照)に当接すると共に、ケース体４２の前記対向面４２ｃが前記第１支持片２８ｂに当接した際に、該回収樋２５の左側面２５ａから前記ケース体４２に形成した孔部４５ａ,４５ａまでの距離と、設置盤２８に形成した軸部２８ｃ,２８ｃまでの距離とが略同等になるよう設定される。すなわち、前記傾斜面４３を前記回収樋２５の左側面２５ａに当接させ、かつ前記ケース体４２の対向面４２ｃを前記第１支持片２８ｂに当接させることで、ケース体４２を位置決めして各軸部２８ｃと孔部４５ａとを上下に整列させ得るようになっている。
【００２２】
図１または図５〜図７に示すように、前記ケース体４２の左側部(すなわち、ヒンジ機構３６を形成した側部とは反対の側部)には、左方向に突出する突部４６が形成されると共に、該突部４６の左端部に、前方(設置盤２８側)に向けて突出する突出片４６ａが形成されている。ここで、前記突出片４６ａは、前記ヒンジ機構３６を介して前記ケース体４２(発射制御装置４１)を設置盤２８に近接する方向に回動した際に、該設置盤２８に形成した前記一対の規制部３０,３０の間に挿入されるよう設定されている。すなわち、前記突出片４６ａを前記規制部３０,３０の間に挿入した状態では、該突出片４６ａの上下の端縁が規制部３０,３０に接触し、前記発射制御装置４１の上下移動を規制するようになっている。なお、図６または図７に示すように、前記突出片４６ａの前端部側における上下の角部は面取りがなされており、前記ケース体４２を設置盤２８に近接する方向に回動した際に、前記規制部３０,３０の間に突出片４６ａが容易に挿入し得るよう構成してある。
【００２３】
また、前記ケース体４２の上面４２ｂにおける左側には、弾性変形可能なフック部材(第１係合部)４７が形成されている。前記フック部材４７は、図６または図７に示すように、前記ケース体４２に固定された固定部４８と、該固定部４８の上端から後方(設置盤２８から離間する方向)に向けて延出する板状の本体４９とからなり、該本体４９の上面側には、前側から後側に向かうにつれて上方傾斜する爪部４９ａが形成されている。すなわち、前記フック部材４７の本体４９は、ケース体４２の上面４２ｂから上方に離間して平行に延在し、該本体４９は、ケース体４２の上面４２ｂに近接する方向に弾性変形し得るようになっている。
【００２４】
ここで、前記ヒンジ機構３６を介して前記発射制御装置４１を設置盤２８(中枠１２)に向けて回動した際に、前記フック部材４７の前記爪部４９ａの傾斜面４９ｂに、前記機構セット盤１９の下端縁部１９ａが当接するよう設定される。この状態で、更に発射制御装置４１を設置盤２８に向けて回動することで、該傾斜面４９ｂの傾斜に沿ってフック部材４７が下方に押し下げられて弾性変形し、該爪部４９ａの後側まで機構セット盤１９の下端縁部１９ａが到達すると、該フック部材４７が復帰して機構セット盤１９の下端縁部１９ａと爪部４９ａとが係合して、前記発射制御装置４１が設置盤２８(中枠１２)の裏側に対して閉成状態で固定される。このように、前記機構セット盤１９は、前記ケース体４２に形成した前記フック部材４７と係脱自在に係合する第２係合部として機能している。
【００２５】
なお、前記発射制御装置４１を前記設置盤２８に対して閉成した際には、前記ケース体４２の突部４６に設けた前記突出片４６ａが前記規制部３０,３０の間に挿入されて発射制御装置４１の上下移動を規制すると共に、該突部４６が規制部３０,３０の後端面３０ａ,３０ａに当接して、該ケース体４２の設置盤２８側への回動を規制している。また、図１に示すように、前記発射制御装置４１を前記設置盤２８に固定した際に、両部材２８,４１の間に画成される空間３９に前記打球杆２４が位置するようになっており、閉成した発射制御装置４１により前記打球駆動部２２を覆うよう構成される。
【００２６】
また、前記フック部材４７には、前記爪部４９ａから後方に向けて延出する延出部４９ｃが形成されており、該爪部４９ａが前記機構セット盤１９の下端縁部１９ａと係合した際に、該延出部４９ｃが機構セット盤１９の後側(設置盤２８から離間する側)まで延在するようになっている(図１または図７参照)。すなわち、前記延出部４９ｃを下方(ケース体４２の上面４２ｂ側)に押し下げてフック部材４７を弾性変形することにより、該フック部材４７と機構セット盤１９の下端縁部１９ａとの係合を解除し得るようになっている。
【００２７】
〔実施例の作用〕
次に、実施例に係るパチンコ機における発射制御装置の取付構造の作用につき説明する。先ず、前記発射制御装置４１の中枠１２に対する取り付け方法について説明する。前記ケース体４２(発射制御装置４１)に形成した第２支持片４５,４５の孔部４５ａ,４５ａを、前記設置盤２８(中枠１２)の裏側に形成した第１支持片２８ｂ,２８ｂの軸部２８ｃ,２８ｃの上方に整列させたもとで、ケース体４２を下方に移動して孔部４５ａ,４５ａに軸部２８ｃ,２８ｃを挿通する。これにより、前記発射制御装置４１は、前記孔部４５ａ,４５ａおよび軸部２８ｃ,２８ｃ(すなわち、ヒンジ機構３６)を介して、前記設置盤２８(中枠１２)に対し開閉自在に枢支される。ここで、前記ケース体４２の右側面４２ａに傾斜面４３を形成し、該傾斜面４３を前記設置盤２８の裏側に位置する前記回収樋２５の左側面２５ａに当接し、かつ前記ケース体４２の対向面４２ｃを前記第１支持片２８ｂに当接させることでケース体４２を位置決めし、前記孔部４５ａ,４５ａと前記軸部２８ｃ,２８ｃとを上下に整列させ得るよう構成したから、作業者が孔部４５ａと軸部２８ｃとを正確に整合させる手間を省くことができ、作業負担を軽減し得る。
【００２８】
更に、前記ヒンジ機構３６を介して前記発射制御装置４１を枢支した状態で、該発射制御装置４１を前記設置盤２８(中枠１２)に向けて回動させると、前記ケース体４２に形成した前記フック部材４７(爪部４９ａ)の傾斜面４９ｂの傾斜に前記機構セット盤１９の下端縁部１９ａが当接し、更に回動することでフック部材４７が下方に押し下げられて弾性変形し、最終的にフック部材４７と機構セット盤１９の下端縁部１９ａとが係合する。これにより、前記発射制御装置４１の後方移動(中枠１２から離間する方向への移動)が規制されると共に、前記ケース体４２に形成した前記突部４６が前記設置盤２８(中枠１２)に形成した規制部３０,３０の後端面３０ａ,３０ａに当接して該発射制御装置４１の前方移動(中枠１２に近接する方向への移動)は規制され、該発射制御装置４１が設置盤２８に対して閉成状態で固定される。ここで、前記発射制御装置４１の閉成時には、該発射制御装置４１により前記打球駆動部２２(ロータリーソレノイド２３や打球杆２４)の後方を併せて被覆するようにしたから、前記機構セット盤１９の球処理部から落下したパチンコ球が該打球駆動部２２に接触するのを防止できる。
【００２９】
また、前記機構セット盤１９の下端縁部１９ａに前記ケース体４２のフック部材４７が係合すると、該発射制御装置４１はフック部材４７により下方に向けて付勢されるようになっている。すなわち、前記発射制御装置４１が上方に移動するのは規制されるから、前記各孔部４５ａから軸部２８ｃが抜けるのは防止され、該発射制御装置４１が設置盤２８から脱落して損傷することはない。更に、前記発射制御装置４１の前記設置盤２８への閉成時には、前記ケース体４２の突部４６に形成した前記突出片４６ａが、前記規制部３０,３０の間に挿入されるから、該ケース体４２(発射制御装置４１)が上下移動することはなく、該発射制御装置４１の脱落を確実に防止し得る。
【００３０】
ここで、パチンコ機１０を運搬するに際して、通常はパチンコ機１０を横置き状態にして重心位置を下げ、運搬時の振動等によりパチンコ機１０が転倒し難くしている。この場合に、本実施例に係る前記発射制御装置４１は、前記軸部２８ｃ,２８ｃを上下方向に延在するよう構成してあるから、パチンコ機１０を横置きとした際に、該発射制御装置４１は前記孔部４５ａ,４５ａを介して軸部２８ｃ,２８ｃに吊り下げられた状態、あるいは該軸部２８ｃ,２８ｃの上方に載置された状態の何れかの状態になる。従って、運搬時の振動等により前記フック部材４７と機構セット盤１９の下端縁部１９ａとの係合状態が解除された場合であっても、前記発射制御装置４１に対し前記孔部４５ａ,４５ａから軸部２８ｃ,２８ｃが抜け落ちる方向、すなわち発射制御装置４１を水平方向(パチンコ機１０の上方)に移動させる力が作用しないから、該発射制御装置４１が中枠１２から脱落して損傷するのは防止される。更に、前述のように前記フック部材４７および突出片４６ａにより前記発射制御装置４１の移動を規制するから、発射制御装置４１が脱落して損傷するのはより確実に防止し得る。
【００３１】
また、前記係合フック４７を前記ヒンジ機構３６に近接して設けた場合には、僅かな振動が発生した場合であっても、テコの原理により該フック部材４７にはより大きな負荷が掛かることになるから、係合フック４７と機構セット盤１９の下端縁部１９ａとの係合が解除され易くなる。これに対して、本実施例では、前記係合フック４７を、前記ケース体４２の上面４２ｂにおいて、前記ヒンジ機構３６の形成側の側部(右側部)とは反対側の側部(左側部)に近接して形成してある。すなわち、前記係合フック４７と機構セット盤１９の下端縁部１９ａとの係合の解除を、確実に阻止することが可能である。
【００３２】
次に、前記発射制御装置４１の設置盤２８(中枠１２)からの取り外し方法について説明する。作業者が、前記発射制御装置４１(ケース体４２)に形成した前記フック部材４７の延出部４９ｃに手指を掛け、該フック部材４７を下方(ケース体４２の上面４２ｂに近接する方向)に押し下げて弾性変形させることにより、両者４７,１９の係合は解除される。この状態で、前記ヒンジ機構３６を介して前記発射制御装置４１を前記設置盤２８から離間する方向に回動し、更に発射制御装置４１を上方に引き上げて前記孔部４５ａ,４５ａから前記軸部２８ｃ,２８ｃを抜き外すことにより、当該発射制御装置４１が設置盤２８(中枠１２)から取り外される。ここで、前記延出部４９ｃは、前記機構セット盤１９の後方まで延出するよう形成してあるから、作業者が該延出部４９ｃに手指を容易に掛けることができ、前記発射制御装置４１の取り外し作業を容易に行ない得る。すなわち、前記発射制御装置４１に不具合が生じた場合であっても、該発射制御装置４１の交換作業やメンテナンス作業を容易に行ない得る。
【００３３】
ところで、前述したように、従来のパチンコ機は前記打球駆動部２２の後方を保持台で覆い、該保持台に発射制御装置４１を枢支するようになっている。従って、打球駆動部２２に不具合が生じ、交換やメンテナンス作業を行なう際には、発射制御装置４１を取り外した後に、更に保持台も取り外さなければならず、作業が煩雑であった。これに対して、実施例に係るパチンコ機１０では、前記打球駆動部２２の後方を前記発射制御装置４１で直接被覆するようにしたから、前記フック部材４７と機構セット盤１９の下端縁部１９ａとの係合を解除して、該発射制御装置４１を設置盤２８に対して開放するだけで、該打球駆動部２２を露出させることができ、該打球駆動部２２の交換やメンテナンス作業を容易に行ない得ると共に、交換等の作業を簡略化し得る。更には、前記設置盤２８に対して開放した発射制御装置４１を取り外すことで、前記打球駆動部２２のメンテナンス作業等をより簡単に行ない得るようになる。
【００３４】
〔変更例〕
なお、本発明に係る遊技機における発射制御装置の取付構造としては、実施例のものに限られず種々の変更が可能である。例えば、実施例では中枠に設けた第１支持片に、上方に向けて延在するよう軸部を形成すると共に、発射制御装置に形成した第２支持片に、上下に貫通して軸部を挿入可能な孔部を穿設するようにしたが、第１支持片に軸孔を穿設すると共に、第２支持片に下方に向けて延在する軸部を形成するようにしても、軸部を孔部に挿入枢支することで、発射制御装置の前記中枠への閉成時に、打球駆動部の後方を併せて被覆することができ、実施例と同様の作用効果を得ることができる。
【００３５】
また、実施例では、前記発射制御装置の上面にフック部材を形成して、フック部材と機構セット盤の下端縁部とを係合させた際に、該フック部材により発射制御装置を下方に向けて付勢し、前記孔部から軸部が抜けるのを規制するようにしたが、中枠側にフック部材を形成して、発射制御装置に形成した第１係合部と係合した際に発射制御装置を下方に向けて付勢するようにしても、孔部から軸部が抜けるのを規制し得る。なお、発射制御装置側に形成される第１係合部および中枠側に形成される第２係合部の形状や構成に関しては、実施例のものに限られるものではなく、従来公知の各種部材を採用でき、好適には前述したように第１係合部と第２係合部の何れか一方をフック部材で形成するようにすればよい。すなわち、第２係合部としては、機構セット盤の下端縁部に限られず、中枠に第１係合部と係脱自在に係合し得る部材を形成することも可能である。なお、遊技機としては、パチンコ機に限られるものではなく、アレンジボール機等であってもよく、遊技盤の盤面に向けて遊技球を打ち出す打球駆動部と、該打球駆動部の制御を行なう発射制御装置とを備えた遊技機であれば、何れの遊技機であっても採用し得る。
【００３６】
〔付記〕
なお、本発明の具体的構成としては、以下のような限定が可能である。
(1) 請求項４記載の遊技機における発射制御装置の取付構造に関しては、前記フック部材に、該フック部材を前記機構セット盤に係合した状態で、該機構セット盤より後方に延出する延出部を設ける。
このように、前記フック部材に機構セット盤より後方に延出する延出部を設けることで、係合を解除する際の操作性が向上する。
(2) 請求項４記載の遊技機における発射制御装置の取付構造に関しては、前記フック部材を前記発射制御装置の上面側に弾性変形することで、前記機構セット盤との係合が解除されるよう構成する。
ここで、前記フック部材を発射制御装置の上面側に弾性変形させて機構セット盤との係合を解除するよう構成されているから、発射制御装置の閉成時には、当該発射制御装置は常には機構セット盤に押圧されることになる。すなわち、前記ヒンジ機構を構成する孔部から軸部が抜ける方向に、前記発射制御装置が移動するのをより確実に規制でき、該発射制御装置が中枠から脱落して損傷するのを防止し得る。
【図面の簡単な説明】
【００３７】
【図１】本発明の実施例に係る発射制御装置を中枠の設置盤に閉成状態で固定した状態を示す横断平面図である。
【図２】実施例に係るパチンコ機を示す正面図である。
【図３】実施例に係る中枠の要部を示す正面図である。
【図４】実施例に係る中枠の要部を示す斜視図である。
【図５】実施例に係る発射制御装置を中枠の設置盤に閉成状態で固定した状態を拡大して示す背面図である。
【図６】実施例に係る発射制御装置を示す斜視図である。
【図７】実施例に係る発射制御装置を中枠の設置盤に閉成状態で固定した状態を概略で示す側面図である。
【符号の説明】
【００３８】
１２  中枠
１９  機構セット盤(第２係合部)
２２  打球駆動部
２８ｂ  第１支持片
２８ｃ  軸部
３０  規制部
３６  ヒンジ機構
４１  発射制御装置
４５  第２支持片
４５ａ  孔部
４６ａ  突出片
４７  フック部材(第１係合部)
【図１】
2005137588.tif 000003
【図２】
2005137588.tif 000004
【図３】
2005137588.tif 000005
【図４】
2005137588.tif 000006
【図５】
2005137588.tif 000007
【図６】
2005137588.tif 000008
【図７】
2005137588.tif 000009